(57)【要約】【課題】粒材のすり切り計量動作を、片手のままですることができる、計量カップを提供する。【解決手段】  有底筒状の計量カップ本体（１）と、すり切り板（２０）部材とからなる計量カップであり、計量カップ本体（１）には、支持部（２）から下方に伸びた半円筒状の取っ手（３）が有り、取っ手（３）の中心の支持部（２）と取っ手（３）に設けたフランジ（７）の中心には、それぞれ軸穴である穴１（５）と穴２（６）が貫通して設けてある。  すり切り板（２０）はダイヤル状の円盤（２２）に立てた状態で水平に固定してあり、円盤中心には直角方向に軸（２１）が設けて有る、すり切り板（２０）はその軸（２１）と直角に固定してある。  上記すり切り板部材を本体カップの軸穴に取り付けることで一体とする、次に親指で円盤（２２）を動かすことにより、すり切り板（２０）を左右に回動往復に動かすことができ、カップですくった山盛りの粒材又は粉材をすり切る事ができる為計量できる。【選択図】図１
2009115768.tif 000002
【特許請求の範囲】
【請求項１】
有底筒状の計量カップ本体と、すり切り板部材とからなる計量カップであり、計量カップ本体には、取っ手が設けてあり取っ手の中心には軸穴が設けてある、ここにすり切り板と円盤、軸、勘合部を設けたすり切り部材を軸穴に取り付けることで一体とし、次に親指で、ダイヤル状の円盤を動かすことにより、すり切り板を左右に回動往復させ、これによりカップで、すくった時の山盛りになった粒材又は粉材をすり切る事のできることを特徴とする、片手すり切り計量カップ。
【発明の詳細な説明】
【技術分野】
【０００１】本発明は、粒材又は粉材を計量する時に、片手ですくった状態のまま計ることのできる、計量カップに関するものである。
【背景技術】
【０００２】  従来、例として米などを計量する時に、有底円筒形状の計量カップを用いて、米を計量カップに山盛り状に入れ、次ぎに、棒、箸、水平部分の有る食器、又は指ですりきって計量するなどしていた、又は適当に目分量で計量していた。これらの計量には両手を使っていた。このため、米を計量するたびに、すりきり部材などを別途用意する手間が生じたり、或いは計量が正確でなかったりとする問題があった。そのため、米の量が規定量より多くなると硬めに炊けたり、少なくなると軟らかめに炊けたりと、米が上手に焚けない状況を起こしていた。【０００３】  なお、次ぎの計量カップが知られている、これは有底筒状の計量カップ本体と、蓋体とからなる計量カップであって、前記蓋体には係合部が設けられ、接続部は薄く又は狭く形成され、前記蓋体は前記計量カップ本体上で回動自在に設けられたことを特徴としている（特許文献１）。【０００４】  さらに、有底円筒形状のカップ本体からなる米計量カップにおいて、前記カップ本体の上端の開口部を斜面とし、当該開口部に斜面の傾斜方向に対して垂直な方向に伸長する複数のリブを設けて床に置いた時に、こぼれることで計量できる米計量カップが知られている（特許文献２）。
【特許文献１】  特開２００４−０７７１７８号公報
【特許文献２】  特開２００２−３４０６５１号公報
【発明の開示】
【発明が解決しようとする課題】
【０００５】それぞれの特許文献の発明には、次のような欠点があった。
特開２００４−０７７１７８号公報は、すり切り部位が蓋になっていてカップ本体に付いてあり、蓋が上下に動くことができる為、蓋をする事ができるが、すり切りをするのには蓋をカップ縁にもってきて動かすのに、カップと蓋をそれぞれ両手で持ち位置を合わせて操作しなければならなく面倒である。【０００６】特開２００２−３４０６５１号公報は、一般の炊飯器の釜の形状では全部はすくえないカップ形状であり、容器の形状を決めることのできる業務用としての用途に用いられる。又これは米をすくったあと床に置くか水平にして、こぼれ落ちる状態を作らなければ計量することができなかった。
本発明は、これらの問題を解決する為になされた物である。
【課題を解決するための手段】
【０００７】  有底筒状の計量カップ本体と、すり切り板部材とからなる計量カップであり、計量カップ本体には、支持部から下方に伸びた半円筒状の取っ手が有り、取っ手の中心の支持部と取っ手に設けたフランジの中心には、それぞれ軸穴が設けてある。すり切り板はダイヤル状の円盤に立てた状態で水平に固定してあり、円盤中心には直角方向に軸が設けて有る、すり切り板はその軸と直角に固定してある。
上記すり切り板部品を本体カップの軸穴に取り付けることで一体となる、次に親指で円盤を動かすことにより、すり切り板を左右に回動往復に動かすことができる。これによりカップで、すくった時の山盛りになった粒材又は粉材をすり切る事のできることを特徴とする、片手すり切り計量カップである。
【発明の効果】
【０００８】カップ本体にすり切り板が付いてある為面倒が無く、取っ手がついている為すくいやすい。
また、片手でカップを持ったまま、親指を動かすだけで粒材又は粉材をすり切ることができるため簡単である。
【発明を実施するための最良の形態】
【０００９】  本発明の形状を説明すると
（イ）有底筒状の形状の計量カップ本体（１）の円周縁から、リブ（４）のついた支持部（２）が水平に設けてある。この支持部（２）の端には、下方に乗下している取っ手（３）がが設けてあり半円筒状である。この内側の湾曲面（９）の側壁（１０）には円盤状のフランジ（７）を水平に設けてある。取っ手（３）の中心である支持部（２）には穴１（５）が、フランジ（７）には穴２（６）が通し方向に貫通して設けてある。取っ手の支持部（２）の平面上には、中央に凸部（８）が設けてあり、これはすり切り板部材の回転止めのストッパーとなる。
（ロ）下縁が直線状からなる、すり切り板（２０）の後端には、周側に凸凹部（２３）の付いたダイヤル状の円盤（２２）が設けられている。円盤（２２）の中心には軸（２１）が設けられている。このすすり切り板（２０）は軸（２１）と直角に、円盤（２２）とは立てた状態で水平に固定してある。そして軸（２１）の端部には二又状のかえり（２６）が設けてあり、嵌合部（２５）となっている。この嵌合部（２５）の付いた軸（２１）をカップ本体の通し穴部２ヶ所の穴１（５）と穴２（６）に押し込み取り付けて、カップと一体とする。そしてかえり部（２６）があることで抜け止めとなっている。本発明は、以上の構成よりなっている。【００１０】  本発明を使用するときは、すり切り板部のダイヤル状の円盤（２２）の凸凹部（２３）を、親指に掛けて回動することにより左右に、すり切り板（２０）を水平状に回動往復に動かすことができる。これによりカップですくった山盛りの粒材又は粉材をすり切る事で計量をする。
すり切り板の円盤（２２）の裏面には、円弧状の溝部（２４）が付いてある。この溝部（２４）は凸部（１１）が挿入されて嵌合するために、すり切り板（２０）の左右の回転角度を規制して止める部分である。
この時、片手でカップを持ったままでも、親指でダイヤル状の円盤（２２）を動かすことができるので、片手のままですり切り計量をすることができる。
【図面の簡単な説明】
【００１１】
【図１】本発明の分解斜視図
【図２】本発明の使用状態を示す斜視図
【図３】本発明を示す斜視図
【図４】すり切り板の要部を示す斜視図
【図５】すり切り状態を示す断面図
【図６】本発明の断面図
【符号の説明】
【００１２】  １、カップ本体
２、支持部
３、取っ手
４、リブ
５、穴１
６、穴２
７、フランジ
８、凸部
９、湾曲面
１０、側壁
２０、すり切り板
２１、軸
２２、円盤
２３、凸凹部
２４、溝部
２５、嵌合部
２６、かえり部
【図１】
2009115768.tif 000003
【図２】
2009115768.tif 000004
【図３】
2009115768.tif 000005
【図４】
2009115768.tif 000006
【図５】
2009115768.tif 000007
【図６】
2009115768.tif 000008